(57)【要約】パッケージ（２００）は、カートン（１５０）と、カートンの底部パネル（３０）を通って延在する容器（１７０）によって形成される。係合された上下部のストラット対（８１、１０１）と、カートン側壁（２０、４０）内のブレース開口部（２２、４２）とによって、カートンの内側に収容された容器が保持される。
2009511370.tif 000002
【特許請求の範囲】
【請求項１】
パッケージにおいて、
カートンであって、
上部パネルと、
底部パネルと、
第１の側パネルと、
第２の側パネルと、
前記底部パネルから第１の横列に沿って延在する複数の上部ストラットであって、それぞれの上部ストラットが、第１の上部ストラットセクションと、第２の上部ストラットセクションとを備え、前記第２の上部ストラットセクションが、前記底部パネルに折り畳み可能に接続された複数の上部ストラットと、
前記上部ストラットの第１の横列に隣接した、前記底部パネルから第２の横列に沿って延在する複数の下部ストラットであって、それぞれの下部ストラットが、第１の下部ストラットセクションと、第２の下部ストラットセクションとを備え、前記第２の下部ストラットセクションが、前記底部パネルに折り畳み可能に接続された複数の下部ストラットと、
容器開口部の第１の横列内のそれぞれの容器開口部が、前記複数の上部ストラットのうちの１つに隣接した容器開口部の第１の横列と、
前記容器開口部の第２の横列内のそれぞれの容器開口部が、前記複数の下部ストラットのうちの１つに隣接した容器開口部の第２の横列と、を備えるカートンと、
それぞれの容器が、前記容器開口部のうちの１つに収容され、下面を備えたフランジを有する複数の容器と、を備えるパッケージであって、
それぞれの第１の上部ストラットセクションは、前記容器開口部の第１の横列内に収容された容器のフランジの下面、および前記容器開口部の第２の横列内に収容された隣接する容器のフランジの下面と接触する、パッケージ。
【請求項２】
それぞれの第１の下部ストラットセクションは、前記フランジと接触せず、それぞれの第２の下部ストラットセクションは、前記フランジと接触しない、請求項１に記載のパッケージ。
【請求項３】
前記容器開口部の第１および第２の横列は、複数の縦列に配列される、請求項１または２に記載のパッケージ。
【請求項４】
前記複数の縦列は、少なくとも３つの縦列を含む、請求項３に記載のパッケージ。
【請求項５】
それぞれの上部ストラットの第１の上部ストラットセクションは、折り目線において第２の上部ストラットに接続される、請求項１乃至４に記載のパッケージ。
【請求項６】
それぞれの下部ストラットの第１の下部ストラットセクションは、折り目線において第２の下部ストラットに接続される、請求項１乃至５に記載のパッケージ。
【請求項７】
それぞれの上部ストラットは、受け開口部を備え、それぞれの第１の下部ストラットセクションは、前記受け開口部のうちの１つを通って延在する突出部を備える、請求項６に記載のパッケージ。
【請求項８】
前記第１の側壁内の複数の第１のブレース開口部と、
前記第２の側壁内の複数の第２のブレース開口部と、をさらに備え、
それぞれの容器は、前記フランジの下面において前記ブレース開口部のうちの少なくとも１つによって支持される、請求項１乃至７に記載のパッケージ。
【請求項９】
ぞれぞれの第１の上部ストラットセクションは、凹状の湾曲した遠位縁部を有する、請求項１乃至８に記載のパッケージ。
【請求項１０】
前記第２の上部ストラットセクションは、略直立状態である、請求項１乃至９に記載のパッケージ。
【請求項１１】
前記第１の上部ストラットセクションは、前記底部パネルに略平行である、請求項１乃至１０に記載のパッケージ。
【請求項１２】
前記カートンは、開口端を備えた略管形状である、請求項１乃至１１に記載のパッケージ。
【請求項１３】
前記第２の側パネルに折り畳み可能に接続され、前記上部パネルに接着される接着パネルをさらに備える、請求項１乃至１２に記載のパッケージ。
【請求項１４】
前記容器のうちの少なくともいくつかの上部は、前記上部パネルに当接する、請求項１乃至１３に記載のパッケージ。
【請求項１５】
パッケージにおいて、
カートンであって、
上部パネルと、
底部パネルと、
複数の第１のブレース開口部を有する第１の側パネルと、
複数の第２のブレース開口部を有する第２の側パネルと、
前記底部パネルから第１の横列に沿って延在する複数の上部ストラットと、
前記底部パネルから第２の横列に沿って延在する複数の下部ストラットと、
それぞれの容器開口部の第１の横列が、前記複数の上部ストラットのうちの１つに隣接した容器開口部の第１の横列と、
それぞれの容器開口部の第２の横列が、前記複数の下部ストラットのうちの１つに隣接した容器開口部の第２の横列と、を備えるカートンと、
それぞれの容器が、前記容器開口部のうちの１つに収容され、下面を備えたフランジを有する複数の容器と、を備えるパッケージであって、
それぞれの容器は、前記フランジの下面において前記ブレース開口部のうちの少なくとも１つによって支持され、
それぞれの容器は、前記フランジの下面において前記ストラットのうちの少なくとも１つによって支持される、パッケージ。
【請求項１６】
それぞれの上部ストラットは、第１の上部ストラットセクションと、第２の上部ストラットセクションとを備え、前記第２の上部ストラットセクションは、前記底部パネルに折り畳み可能に接続される、請求項１５に記載のパッケージ。
【請求項１７】
それぞれの下部ストラットは、第１の下部ストラットセクションと、第２の下部ストラットセクションとを備え、前記第２の下部ストラットセクションは、前記底部パネルに折り畳み可能に接続される、請求項１５または１６に記載のパッケージ。
【請求項１８】
それぞれの第１の上部ストラットセクションは、前記容器開口部の第１の横列内に収容された容器のフランジの下面、および前記容器開口部の第２の横列内に収容された隣接する容器のフランジの下面と接触する、請求項１７に記載のパッケージ。
【請求項１９】
それぞれの第１の下部ストラットセクションは、前記フランジと接触せず、それぞれの第２の下部ストラットセクションは、前記フランジと接触しない、請求項１８に記載のパッケージ。
【請求項２０】
それぞれの上部ストラットの第１の上部ストラットセクションは、折り目線において第２の上部ストラットに接続され、
それぞれの下部ストラットの第１の下部ストラットセクションは、折り目線において第２の下部ストラットに接続される、請求項１８に記載のパッケージ。
【請求項２１】
それぞれの上部ストラットは、受け開口部を備え、それぞれの第１の下部ストラットセクションは、前記受け開口部のうちの１つを通って延在する突出部を備える、請求項２０に記載のパッケージ。
【請求項２２】
前記第２の上部ストラットセクションおよび前記第２の下部ストラットセクションは、略直立状態であり、
前記第１の上部ストラットセクションおよび前記第１の下部ストラットセクションは、底部パネルに略平行である、請求項１８に記載のパッケージ。
【請求項２３】
前記容器開口部の第１および第２の横列は、複数の縦列に配列される、請求項１５乃至２２に記載のパッケージ。
【請求項２４】
前記カートンは、開口端を備えた略管形状である、請求項１５乃至２３に記載のパッケージ。
【請求項２５】
前記容器の上部は、上部パネルに隣接する、請求項１５乃至２４に記載のパッケージ。
【請求項２６】
前記第２の側パネルに折り畳み可能に接続され、前記上部パネルに接着される接着パネルをさらに備える、請求項１５乃至２５に記載のパッケージ。
【請求項２７】
前記容器開口部の一部が湾曲している、請求項１５乃至２５に記載のパッケージ。
【請求項２８】
ブランクにおいて、
上部パネルと、
複数の第１のブレース開口部を有する第１の側パネルと、
底部パネルと、
複数の第２のブレース開口部を有する第２の側パネルと、
前記底部パネル内の複数の第１の容器受けパターンであって、それぞれの第１の容器受けパターンが、第１の上部ストラットセクションと、前記第１の上部ストラットセクションに折り畳み可能に接続された第２の上部ストラットセクションとを画定する、複数の第１の容器受けパターンと、
前記底部パネル内の複数の第２の容器受けパターンであって、それぞれの第２の容器受けパターンが、第１の下部ストラットセクションと、前記第１の下部ストラットセクションに折り畳み可能に接続された第２の下部ストラットセクションとを画定する、複数の第２の容器受けパターンと、を備えるブランクであって、
前記第１の容器受けパターンは、第１の横列内に、少なくとも２つの縦列に配列され、前記第１のブレース開口部は、少なくとも２つの縦列内に配置され、第１のブレース開口部のそれぞれの縦列が、前記第１の容器受けパターンの縦列に整列される、ブランク。
【請求項２９】
前記第２の容器受けパターンは、第２の横列内に、少なくとも２つの縦列に配列され、第２の容器受けパターンのそれぞれの縦列が、前記第１の容器受けパターンの縦列に整列され、
前記第２のブレース開口部は、少なくとも２つの縦列に配列され、第２のブレース開口部のそれぞれの縦列は、前記第１の容器受けパターンの縦列に整列される、請求項２８に記載のブランク。
【請求項３０】
前記第１の容器受けパターンは、少なくとも３つの縦列内に配列される、請求項２８または２９に記載のブランク。
【請求項３１】
それぞれの上部ストラットは、受け開口部を備え、それぞれの第１の下部ストラットセクションは、前記第１の下部ストラットセクションの遠位縁部から延在する突出部を備える、請求項２８乃至３０に記載のブランク。
【請求項３２】
前記第２の側パネルに折り畳み可能に接続された接着パネルをさらに備える、請求項２８乃至３１に記載のブランク。
【請求項３３】
前記上部パネルは、前記第１の側パネルに折り畳み可能に接続され、前記第１の側パネルは、前記底部パネルに折り畳み可能に接続され、
前記底部パネルは、前記第２の側パネルに折り畳み可能に接続される、請求項２８乃至３２に記載のブランク。
【請求項３４】
前記ブランクは、板紙から組み立てられる、請求項２８乃至３３に記載のブランク。
【発明の詳細な説明】
【技術分野】
【０００１】
本技術分野は、容器を収容するためのカートン、およびそれらから形成されるパッケージに関する。
【背景技術】
【０００２】
容器の上部を係合して固定するためのカートンは既知のものである。容器は、一般的に、カートンの底部パネル内の開口部を通して挿入され、容器の放射状に突出した部分を係合することによって固定される。このようなカートンは、Ｂａｋｘへの米国特許第６，２２３，８９２号に開示されている。しかし、従来のカートンは、容器を確実に保持することができないか、または従来技術で認識されている他の要件を満たすことができない場合がある。
【発明の開示】
【０００３】
本発明の第１の側面によれは、パッケージは、その中に収容された複数の容器を有するカートンを備える。カートンは、上部パネルと、底部パネルと、第１の側パネルと、第２の側パネルと、底部パネルから第１の横列に沿って延在する複数の上部ストラットであって、それぞれのストラットが、第１の上部ストラットセクションと第２の上部ストラットセクションとを備える複数の上部ストラットと、底部パネルから第２の横列に沿って延在する複数の下部ストラットであって、それぞれの下部ストラットが、第１の下部ストラットセクションと第２の下部ストラットセクションとを備える複数の下部ストラットとを備える。容器は、上部ストラットセクションの横列に隣接して配列された容器開口部の第１の横列と、下部ストラットセクションの横列に隣接して配列された容器開口部の第２の横列との内側で受ける。それぞれの第１の上部ストラットセクションは、第１の横列内の容器のフランジの下面と、第２の横列内の隣接した容器のフランジの下面とに接触する。それぞれの第１の下部ストラットセクションは、例えば、フランジと接触させず、タブによって固定することが可能である。
【０００４】
本発明の第２の側面によれば、カートンの側パネルは、容器フランジの一部が通って延在するブレース開口部を含むことができる。ブレース開口部は、容器フランジの下面を支持する下部ブレース縁部を有する。カートンの組み立て中に、カートンのブランクは、容器の上部周辺を密に包んで容器をカートンの内側に保持することができる。
【０００５】
本発明の上述の側面および下述の側面によれば、ブレース開口部および係合された上下のストラットは、容器が容器開口部を介して不注意に下方に引っ張られないようにし、また、カートンの内側に収容された容器の過度の動きまたは回転を防ぐ役目をする。
【０００６】
本発明の他の側面、特徴、および詳細は、図面とともに用いられる以下の説明を参照することによって、また添付の特許請求の範囲からより適切に理解されよう。
一般的な方法に従って、図面の種々の特徴は、必ずしも一定の比率で描画されているわけではない。図面内の種々の特徴の寸法および要素は、本発明の実施形態をより明確に示すように、拡大または縮小される場合がある。
【発明を実施するための最良の形態】
【０００７】
本実施態様は、容器へ取り付けるカートンを対象とする。カートンは、容器の上部を係合してこれを固定し、パッケージを形成する。
【０００８】
図１は、カートンまたはキャリア１５０の形成に使用されるブランク８の平面図である。カートンまたはキャリア１５０は、図６に組み立てた状態で示されており、容器１７０の上部に取り付けられ、パッケージ２００を形成する。図１を参照すると、ブランク８は、第１の横折り目線２１において第１の側パネル２０に折り畳み可能に接続された上部パネル１０と、第２の横折り目線３１において第１の側パネル２０に折り畳み可能に接続された底部パネル３０と、第３の横折り目線４１において底部パネル３０に折り畳み可能に接続された第２の側パネル４０と、第４の横折り目線５１において第２の側パネル４０に折り畳み可能に接続された接着パネル５０とを備える。
【０００９】
ブランク８内の横折り目線２１、３１、４１、および５１は、より具体的には、その周囲においてブランクを折り畳むことが可能な、ウィークネス（ｗｅａｋｎｅｓｓ）またはディスラプション（ｄｉｓｒｕｐｔｉｏｎ）線と称することができる。折り目線２１、３１、４１、および５１のそれぞれは、例えば、１つ以上の場所で中断させることが可能であり、ブランク８の横方向にわたって連続させる必要はない。１つ以上の切れ目を、例えば、横折り目線２１、３１、４１、および５１のそれぞれに沿って設けることが可能である。図１に示される例示的な実施形態では、横折り目線２１、３１、４１、および５１は、その切れ目が折り目線におけるブランク８の折り畳みを容易にする、切れ目／折り目（ｃｒｅａｓｅ）線である。折り目線２１、３１、４１、および５１に沿って複数の切れ目を形成することが可能であり、切れ目の数および長さは、例えば、ブランク８の形成に使用される材料の規格および剛性に従って選択することが可能である。切れ目は、部分的切れ目（例、キスカット）、またはブランク８の厚さ全体を通って延在する１００％の切れ目とすることが可能である。
【００１０】
底部パネル３０は、複数の第１の容器受けパターン８０と、複数の第２の容器受けパターン１００とを含む。第１の容器受けパターン８０は第１の横列内に配列され、第２の容器受けパターン１００は第２の横列内に配列される。それぞれの容器受けパターン８０および１００は、容器１７０の上部がカートン１５０の内側に保持されるように形成およびサイズ設定される。例示的な実施形態では、６つの容器１７０を組み立てたカートン１５０内に収容して、２×３のパッケージを形成できるように、３つの縦列のパターン８０および１００が、底部パネル３０内に形成される。２×２、２×４、または２×５などのような他のパッケージ構成も本発明の範囲内である。
【００１１】
それぞれの第１の容器受けパターン８０は上部ストラット８１を画定し、それぞれの第２の容器受けパターン１００は下部ストラット１０１を画定する。それぞれの上部ストラット８１は、完成したカートン１５０内で、隣接した下部ストラット１０１と係合可能である。それぞれの上部ストラット８１は、横折り目線８２において折り畳み可能に接続された、第１および第２の上部ストラットセクション８４および８６を含む。第１の上部ストラットセクション８４は、容器１７０の上部を係合するように形成および寸法設計された、凹状の湾曲した遠位縁部８８を有する。それぞれの下部ストラット１０１は、横折り目線１０２において折り畳み可能に接続された、第１および第２の下部ストラットセクション１０４および１０６を含む。上部ストラット８１はタブ受け開口部９０を含み、下部ストラット１０１は第１の下部ストラットセクション１０４の遠位端から延在するタブ１１４を含む。タブ１１４は、組み立てたカートン１５０内のタブ受け開口部９０の内側で受けるようにサイズ設定される。
【００１２】
第１の側パネル２０は、第１のブレース開口部２２を含む。第１のブレース開口部２２の数は、容器受けパターン８０および１００の縦列の数に対応させることが可能である。図２も参照すると、それぞれのブレース開口部２２は、第１の容器受けパターン８０から形成された隣接する第１の容器開口部８５の内側に保持された、容器１７０の上部フランジ部１７５を受けるように構成される。第１のブレース開口部２２は、第１の横折り目線２１および第１の側パネル２０からの切れ目に、またはこれに隣接した下部ブレース縁部２４を有する。第２の側パネル４０は、第２の容器受けパターン１００から形成された第１の容器開口部１０５の内側で受ける、容器１７０の上部フランジ部１７５を受けるように構成された第２のブレース開口部４２を含む。第２のブレース開口部４２の数も、容器受けパターン８０および１００の縦列の数に対応させることが可能である。第２のブレース開口部４２は、第２の側パネル４０から切り取った下部ブレース縁部４４を有する。パターン８０および１００、および開口部２２および４２は、図１のように、３つの縦列に配列される。左から右に、それぞれの縦列は、整列した開口部２２、パターン８０、パターン１００、および開口部４２を含む。
【００１３】
カートン１５０を組み立ててパッケージ２００を形成する例示的な方法を、図２乃至６を参照して下述する。
【００１４】
図２は、カートン１５０の組み立てステップおよび容器１７０への初期の取り付けの斜視図である。容器１７０の上部（それらのフランジ１７５を含む）は、第１および第２の容器受けパターン８０および１００を通して挿入される。容器１７０の挿入は、第１および第２の容器受けパターン８０および１００において、それぞれ第１および第２の容器開口部８５および１０５を開く役目をすることが可能である。容器開口部８５および１０５は、例えば、容器１７０の外側の形状に概ね適合することが可能なそれぞれの端部に、湾曲したまたは円弧状の側壁を有することが可能である。図２では、上下のストラット８１および１０１は、底部パネル３０から概ね上方へ延在する。
【００１５】
図３を参照すると、下部ストラット１０１は、第１の下部ストラットセクション１０４の遠位端から延在するタブ１１４が、上部ストラット８１内のタブ受け開口部９０内に延在するように、折り目線１０２で折り畳まれる。第１の下部ストラットセクション１０４は、現在、底部パネル３０に略平行に延在している。第２の下部ストラットセクション１０６は、第１の下部ストラットセクション１０４が折り畳まれて、タブ受け開口部９０に係合されたときに、ある程度の角度まで変形させることが可能であるが、その他の場合は略直立状態である。
【００１６】
図４を参照すると、上部ストラット８１の第１の上部ストラットセクション８４は、折り目線８２において折り畳まれる。第１の上部ストラットセクション８４は、現在、底部パネル３０に略平行に延在している。第２の上部ストラットセクション８６は、第１の上部ストラットセクション８４が折り畳まれて、フランジ１７５と係合されたときに、ある程度の角度まで変形させることが可能であるが、その他の場合は略直立状態である。折り目線８２に隣接した第１の上部ストラットセクション８４は、容器開口部８５の第１の横列内に配置された、容器１７０のフランジ１７５の下面をそれぞれ係合することが可能である。それぞれの第１の上部ストラットセクション８４の対向端の湾曲した遠位縁部８８は、容器開口部１０５の第２の横列に配置された、隣接した容器１７０の容器フランジ１７５の下面を係合する。上部ストラット８１内のタブ受け開口部９０を通って延在するタブ１１４（図３に示す）は、第１の下部ストラットセクション１０４を適所に固定する。第１の下部ストラットセクション１０４および／または第２の下部ストラットセクション１０６は、容器フランジ１７５と接触しないままにすることが可能である。
【００１７】
図５を参照すると、接着パネル５０は、容器開口部１０５の第２の横列の内側に配置された、容器１７０の上部の上に延在するように、横折り目線５１周辺で折り畳まれる。次いで、上部パネル１０を、上部パネルの下面が、図６に示されるように、接着パネル５０に接着または固定することができるように、横折り目線２１の周辺で折り畳むことが可能である。
【００１８】
図６を参照すると、カートン１５０は、容器１７０の上部を固定してパッケージ２００を形成する。容器１７０のフランジ１７５が、側パネル２０および４０内のブレース開口部２２および４２を通って延在し、これらによって保持されるように、カートン１５０を閉じたときに、上部パネル５０および接着パネル１０を互いに閉じて比較的密に接合することができる。したがって、容器フランジ１７５の下面は、ブレース縁部２４および４４に確実に係合される。係合された隣接した上下のストラット対８１および１０１は、カートン１５０の内側でフランジ１７５の下面を支持する。
【００１９】
上述の実施形態によれば、容器１７０は、側パネル内のブレース開口部２２および４２によって、また、カートン内部の係合されたストラット対８１および１０１によって確実に保持される。したがって、容器１７０は、底部パネル３０を通じた下方への引っ張りに対して安定し、また、カートン１５０の内部での過度の動きまたは回転に対しても安定する。
【００２０】
図６に示された例示的な実施形態は、２つの横列および３つの縦列に配列された６つの容器１７０を収容するカートン１５０を示す。例えば、ブランク８の幅（図１の横方向）を広げて、下部パネル３０内に更なる対向容器受けパターン８０および１００に形成し、また、側パネル内に対応する整列したブレース開口部２２および４２を形成することによって、更なる縦列を追加することが可能である。
【００２１】
図６に示された例示的なパッケージは、パッケージの全幅にわたって延在し、パネル５０に接着されてパッケージを閉じる上部パネル１０を含む。パッケージの「上部パネル」は代替的に、例えば、第１の側パネルに折り畳み可能に接続された第１の上部パネルと、第２の側パネルに折り畳み可能に接続された第２の上部パネルとを備えることが可能である。これら２つの上部パネルは、完全にまたは部分的に重ねることができ、接着剤（例、機械的手段）によって、または他の手段によって接合することができる。
【００２２】
本明細書では、「フランジ」という用語は、あらゆる放射状に突出したリム、カラー、リング、凸部、または容器の上部から延在する突出部を示す。
【００２３】
本発明によるブランク８は、例えば、コーティングされた板紙および類似した材料から形成することができる。ブランクは、厚紙や硬化紙のような他の材料、または、得られるパッケージが、少なくとも概ね本明細書に記述された機能を果たせるようにするための好適な特性を有する他の材料で組み立てることもできる。
【００２４】
ブランク８の内部のおよび／または外部の側面は、クレーコーティングでコーティングすることができる。クレーコーティングの上には、その後に、商品名、広告、値段コード、および他の情報または画像を印刷することが可能である。ブランクは、その後、ワニスでコーティングして、ブランク上に印刷されたあらゆる情報を保護することが可能である。ブランクはまた、例えば、ブランクの片面または両面に防湿層をコーティングまたは積層するか、または選択されたパネルまたはパネルセクションにおいて１つ以上のシート状の材料でコーティングすることが可能である。
【００２５】
本発明の例示的な実施態様によれば、折り目線は、必ずしも直線ではないが、その線に沿った折り畳みを容易にする、略直線状のブランク８におけるディスラプションまたはウィークニング（ｗｅａｋｅｎｉｎｇ）とすることが可能である。より詳しくは、本発明の範囲を狭めるものではないが、折り目線は、スコア線と、折り目線と、所望のウィークネスの線に沿って、材料に部分的に、および／または完全に通って延在する切れ目または一連の切れ目と、これらの特徴の種々の組み合わせとを含む。
【００２６】
上述の実施形態は、接着剤によって接着された単一または複数のパネルを有するものとして説明することが可能である。「接着剤」という用語は、カートンのパネルを適所に固定するために一般的に使用されるあらゆる種類の接着剤を包含することを意図するものである。
【００２７】
本記述は、本発明を本願明細書において開示される形態に限定することを意図するものではない。また、添付の特許請求の範囲は、詳細な説明の中で明示的に定義されていなければ、別の実施形態を含むと解釈されることを意図するものである。
【図面の簡単な説明】
【００２８】
【図１】本発明の第１の実施形態によるパッケージの形成に使用されるブランクの斜視図である。
【図２】第１のパッケージの実施形態を形成するための組み立てステップを示す図である。
【図３】第１のパッケージの実施形態を形成するための組み立てステップを示す図である。
【図４】第１のパッケージの実施形態を形成するための組み立てステップを示す図である。
【図５】第１のパッケージの実施形態を形成するための組み立てステップを示す図である。
【図６】第１のパッケージの実施形態を示す図である。
【図１】
2009511370.tif 000003
【図２】
2009511370.tif 000004
【図３】
2009511370.tif 000005
【図４】
2009511370.tif 000006
【図５】
2009511370.tif 000007
【図６】
2009511370.tif 000008
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
パッケージ（２００）において、
カートン（１５０）であって、
上部パネル（１０）と、
底部パネル（３０）と、
第１の側パネル（２０）と、
第２の側パネル（４０）と、
前記底部パネル（３０）から第１の横列に沿って延在する複数の上部ストラット（８１）であって、それぞれの上部ストラットが、第１の上部ストラットセクション（８４）と、第２の上部ストラットセクション（８６）とを備え、前記第２の上部ストラットセクションが、前記底部パネル（３０）に折り畳み可能に接続された複数の上部ストラット（８１）と、
前記上部ストラット（８１）の第１の横列に隣接した、前記底部パネル（３０）から第２の横列に沿って延在する複数の下部ストラット（１０１）であって、それぞれの下部ストラット（１０１）が、第１の下部ストラットセクション（１０４）と、前記第１の下部ストラットセクションに折り畳み可能に接続された第２の下部ストラットセクション（１０６）とを備え、前記第２の下部ストラットセクションが、前記底部パネル（３０）に折り畳み可能に接続された複数の下部ストラット（１０１）と、
容器開口部（８５）の第１の横列内のそれぞれの容器開口部が、前記複数の上部ストラットのうちの１つに隣接した容器開口部（８５）の第１の横列と、
容器開口部（１０５）の第２の横列内のそれぞれの容器開口部が、前記複数の下部ストラットのうちの１つに隣接した容器開口部（１０５）の第２の横列と、を備えるカートンと、
それぞれの容器（１７０）が、前記容器開口部（８５，１０５）のうちの１つに収容され、下面を備えたフランジ（１７５）を有する複数の容器（１７０）と、を備えるパッケージであって、
それぞれの第１の上部ストラットセクションは、前記容器開口部の第１の横列内に収容された容器のフランジ（１７５）の下面、および前記容器開口部の第２の横列内に収容された隣接する容器（１７０）のフランジの下面と接触する、パッケージ（２００）。
【請求項２】
それぞれの第１の下部ストラットセクションは、前記フランジ（１７５）と接触せず、それぞれの第２の下部ストラットセクションは、前記フランジと接触しない、請求項１に記載のパッケージ（２００）。
【請求項３】
前記容器開口部（８５，１０５）の第１および第２の横列は、複数の縦列に配列される、請求項１または２に記載のパッケージ（２００）。
【請求項４】
前記複数の縦列は、少なくとも３つの縦列を含む、請求項３に記載のパッケージ（２００）。
【請求項５】
それぞれの上部ストラット（８１）の第１の上部ストラットセクションは、折り目線（８２）において第２の上部ストラットに接続される、請求項１乃至４に記載のパッケージ（２００）。
【請求項６】
それぞれの下部ストラットの第１の下部ストラットセクションは、折り目線（１０２）において第２の下部ストラットに接続される、請求項１乃至５に記載のパッケージ（２００）。
【請求項７】
それぞれの上部ストラットは、受け開口部（９０）を備え、それぞれの第１の下部ストラットセクション（１０４）は、前記受け開口部のうちの１つを通って延在する突出部（１１４）を備える、請求項６に記載のパッケージ（２００）。
【請求項８】
前記第１の側壁（２０）内の複数の第１のブレース開口部（２２）と、
前記第２の側壁（４０）内の複数の第２のブレース開口部（４２）と、をさらに備え、
それぞれの容器（１７０）は、前記フランジの下面において前記ブレース開口部のうちの少なくとも１つによって支持される、請求項１乃至７に記載のパッケージ（２００）。
【請求項９】
それぞれの第１の上部ストラットセクション（８４）は、凹状の湾曲した遠位縁部（８８）を有する、請求項１乃至８に記載のパッケージ（２００）。
【請求項１０】
前記第２の上部ストラットセクション（８６）は、略直立状態である、請求項１乃至９に記載のパッケージ（２００）。
【請求項１１】
前記第１の上部ストラットセクションは、前記底部パネル（３０）に略平行である、請求項１乃至１０に記載のパッケージ（２００）。
【請求項１２】
前記カートン（１５０）は、開口端を備えた略管形状であり、前記容器（１７０）のうちの少なくともいくつかの上部は、前記上部パネル（１０）に当接する、請求項１乃至１１に記載のパッケージ（２００）。
【請求項１３】
前記第２の側パネルに折り畳み可能に接続され、前記上部パネルに接着される接着パネル（５０）をさらに備える、請求項１乃至１２に記載のパッケージ（２００）。
【請求項１４】
下面を備えたフランジ（１７５）を有する複数の容器（１７０）を保持するためのパッケージ（２００）を形成するためのブランク（８）において、
上部パネル（１０）と、
第１の側パネル（２０）と、
底部パネル（３０）と、
第２の側パネル（４０）と、
前記底部パネル（３０）内の複数の第１の容器受けパターン（８０）であって、それぞれの第１の容器受けパターン（８０）が、第１の上部ストラットセクション（８４）と、前記第１の上部ストラットセクションと前記底部パネル（３０）とに折り畳み可能に接続された第２の上部ストラットセクション（８６）と、第１の容器開口部（８５）とを画定する、複数の第１の容器受けパターン（８０）と、
前記底部パネル（３０）内の複数の第２の容器受けパターン（１００）であって、それぞれの第２の容器受けパターンが、第１の下部ストラットセクション（１０４）と、前記第１の下部ストラットセクションと前記底部パネル（３０）とに折り畳み可能に接続された第２の下部ストラットセクション（１０６）と、第２の容器開口部（１０５）とを画定する、複数の第２の容器受けパターン（１００）と、を備えるブランク（８）であって、
前記第１の容器受けパターンは、第１の横列に配置され、前記第２の容器受けパターン（１００）は、第２の横列に配置され、
それぞれの第１の上部ストラットセクション（８４）は、前記第１の容器開口部（８５）内に収容された容器（１７０）のフランジ（１７５）の下面、および前記第２の容器開口部（１０５）内に収容された隣接する容器のフランジの下面と接触する、ブランク（８）。
【請求項１５】
前記第１及び第２の容器受けパターン（８０，１００）は、それぞれ少なくとも２つの縦列に配列され、第２の容器受けパターンのそれぞれの縦列が、前記第１の容器受けパターン（８０）の縦列に整列される、請求項１４に記載のブランク。
【請求項１６】
前記第１の側パネルは、複数の第１のブレース開口部（２２）を有し、前記第２の側パネルは、複数の第２のブレース開口部（２４）を有し、前記第１のブレース開口部は、少なくとも２つの縦列に配置され、前記第１のブレース開口部のそれぞれの縦列が、前記第１の容器受けパターン（８０）の縦列に整列される、請求項１５に記載のブランク。
【請求項１７】
前記第２のブレース開口部（４２）は、少なくとも２つの縦列に配置され、前記第２のブレース開口部のそれぞれの縦列が、前記第１の容器受けパターンの縦列に整列される、請求項１６に記載のブランク。
【請求項１８】
それぞれの前記第２の上部ストラットセクションは、受け開口部（９０）を備え、それぞれの前記第１の下部ストラットセクション（１０４）は、前記第１の下部ストラットセクションの遠位縁部から延在する突出部（１１４）を備える、請求項１４乃至１５に記載のブランク（８）。
【国際調査報告】
2009511370.tif 000009
2009511370.tif 000010
2009511370.tif 000011